(57)【特許請求の範囲】
【請求項１】
作動のための各種部品を搭載する本体と、
前記本体に着脱可能に装着され、電源を供給するバッテリーパックと、
前記バッテリーパックの側面部に設けられていて、加圧されることによって前記バッテリーパックを前記本体から分離させるフック装置とを備え、
前記フック装置は、
前記バッテリーパックの側面部に挿入可能に設けられ、外力が加えられることによって前記本体との拘束が解除され、外力が解除されることによって前記本体に拘束されるフックと、
前記バッテリーパックの側面部に前記フックと共に挿入され、前記バッテリーパックの側面部に対して該側面部の外部に向かって前記フックを弾性的に支持する弾性部材とを有し、
前記フックは、
指で外力が加えられるように前記バッテリーパックの側面部の外部に露出される加圧部と、
前記加圧部から前記バッテリーパックの側面部に沿って延伸される中間部と、
前記加圧部から所定間隔離隔されて前記中間部に形成され、前記本体に拘束される掛止部と有することを特徴とする携帯用端末機。
【請求項２】
前記フック装置は、前記バッテリーの側面部中でユーザが端末機を取る時に、親指又は人差し指が位置される部分に設けられることを特徴とする請求項１に記載の携帯用端末機。
【請求項３】
前記フック装置は、前記バッテリーパックの左右側部の両側に設けられることを特徴とする請求項１に記載の携帯用端末機。
【請求項４】
前記フック装置は、前記バッテリー側面部中でユーザが端末機を取る時に、親指及び人差し指が位置される部分に各々設けられることを特徴とする請求項３に記載の携帯用端末機。
【請求項５】
前記フックは、前記加圧部から延伸され、前記弾性部材の離脱を防止する支持部を更に含むことを特徴とする請求項１に記載の携帯用端末機。
【請求項６】
前記加圧部の周辺の前記バッテリーパックの側面部には、指を置くための指席部が形成されることを特徴とする請求項１に記載の携帯用端末機。
【請求項７】
前記掛止部は、前記本体の左右側の縁部に形成されるフック拘束部に拘束されることを特徴とする請求項１に記載の携帯用端末機。
【請求項８】
前記フック拘束部は、前記加圧部から所定間隔にて離隔されて位置されることを特徴とする請求項７に記載の携帯用端末機。
【請求項９】
前記フック拘束部は、前記本体の縁から突出されるように形成され、前記フック拘束部の端部が前記本体の内側に折り曲げられることを特徴とする請求項７に記載の携帯用端末機。
【請求項１０】
前記フック拘束部は、
前記本体の縁から延伸される垂直部と、
前記垂直部から延伸されて該垂直部につながれた水平部とを有することを特徴とする請求項９に記載の携帯用端末機。
【請求項１１】
前記フック拘束部は、前記バッテリーパックの側面部に指を置くために形成された指席部に収容されることを特徴とする請求項９に記載の携帯用端末機。
【請求項１２】
前記掛止部は曲面又は傾斜になった下部面を有することを特徴とする請求項１に記載の携帯用端末機。
【請求項１３】
前記弾性部材がコイルスプリングであることを特徴とする請求項１に記載の携帯用端末機。
【発明の詳細な説明】
【０００１】
【発明の属する技術分野】
本発明は、携帯用端末機に関するもので、特に、携帯用端末機のバッテリーパックを装着及び脱着する構造に関する。
【０００２】
【従来の技術】
従来の携帯用端末機に関して図１及び図２を参照して説明すると次のようである。
【０００３】
図１は従来の携帯用端末機の後部を示す図である。
【０００４】
図１に示すように、従来の携帯用端末機は大きく本体１とバッテリーバック５とからなっているが、前記バッテリーパック５を本体１の後部上に取り付けるように前記本体１の後部表面の上部にはフック装置２が取り付けられる。
【０００５】
前記バッテリーパックの下端部は、本体１の下端部に締結された後に前記バッテリーパック５が端末機本体１側に加圧されることによって前記バッテリーパック５は端末機本体１と結合される。このように、バッテリーパック５が本体に結合されると、前記フック装置２がバッテリーパック５を弾性的に加圧することによって前記バッテリーパック５が本体１から分離されることが防止される。
【０００６】
図２Ａは図１の携帯用端末機においてフック装置によってバッテリーパックが拘束された状態を示す断面図であり、図２Ｂは図２の携帯用端末機においてフック装置によってバッテリーパックが解除された状態を示す断面図である。
【０００７】
図２Ａを参照すると、前記フック装置２は、大きく弾性部材４とフック３からなり、前記バッテリーバック５の長手方向の上端部にはフック装置２と対応される位置にフック拘束溝５ａが形成される。
【０００８】
前記フック３は弾性部材４に挿入されて固定される固定部３ａと外側に露出されてユーザが指でフック装置を上に押し付けられるように形成された加圧部３ｂと、フック拘束溝５ａに締結される掛止部３ｃからなる。
【０００９】
従って、一応前記フック３とバッテリーパック５が結合されると、前記フック３は弾性部材４の復元力によってバッテリーパック５側に加圧され、同時にバッテリーパックのフック拘束溝５ａ内にフックの掛止部３ｃが挿入される。結果的に前記フック３は継続的に前記バッテリーパック５を本体から分離されないように拘束する。
【００１０】
なお、前記携帯用端末機の本体１にバッテリーパック５を装着した後、所定時間の間端末機を用いてバッテリーが消耗されると、バッテリーパック５は新しいバッテリーパック５を装着するために分離すべきである。かかる分離過程に対して図２Ｂを参照して説明する。
【００１１】
まず、ユーザの端末機の本体１を一方の手で包むように掴んだ後に親指でフックの加圧部３ｂを図２Ｂの矢印方向に押し付ける。
【００１２】
この場合、外力によって前記フック３が弾性部材４を加圧しながら所定距離ほど引き上げられ、バッテリーパック５のフック拘束溝５ａからフックの掛止部３ｃが解除される。次いで前記フックの掛止部３ｃがフック拘束溝５ａから解除されると、前記バッテリーパック５を他方の手で掴んで本体１から分離させる。
【００１３】
しかしながら、従来のバッテリーパックの着脱構造ではユーザが一方の手の親指でフック装置２を上に押し付けられると同時に他方の手でバッテリーパック５を分離する必要があるので、ユーザは、バッテリーパック５を分離させるために両手をすべて使用しなければならないという問題があった。
【００１４】
又、前記本体１の上部にフック装置２が取り付けられるので本体内部に部品を取り付けるための空間が制約され、これによって前記端末機をよりコンパクト、かつ肉薄化するように設計する場合に多くの制約が生じるという問題がある。
【００１５】
【発明が解決しようとする課題】
本発明は、上記従来技術の問題点を解決するためのもので、バッテリーパックが簡単に分離できる携帯用端末機を提供することが目的である。
【００１６】
【課題を解決するための手段】
本発明の携帯用端末機は、作動のための各種部品を搭載する本体と、上記本体に着脱可能に装着され、電源を供給するバッテリーパックと、また、上記バッテリーパックの側面部に設けられていて、加圧の際に上記バッテリーパックを本体から分離させるフック装置とからなり、これにより上記目的が達成される。
【００１７】
上記フック装置は上記バッテリーの側面部中でユーザが端末機を取る時に、該ユーザの親指又は人差し指が位置される部分に設けられる。
【００１８】
上記フック装置は上記バッテリーパックの左右側部の両側に設けられる。
【００１９】
上記フック装置は上記バッテリー側面部中でユーザが端末機を取る時親指及び人差し指が位置される部分に各々設ける。
【００２０】
上記フック装置は、上記バッテリーパックの側面部に挿入するように設けられ、外力が加えられる時に上記本体から解除され、外力が解除される時に上記本体に拘束されるフックと、上記バッテリーパックの側面部に上記フックと共に挿入され、上記バッテリーパックの側面部に対して上記フックを弾性的に支持する弾性部材とを含む。
【００２１】
上記フックは、指で外力が加えられるように上記バッテリーパックの側面部の外部に露出される加圧部と、上記加圧部から上記バッテリーパックの側面部に沿って延伸される中間部と、上記加圧部から所定間隔離隔されて上記中間部に形成され、上記本体に拘束される掛止部と、を含む。
【００２２】
上記フックは上記加圧部から延伸され、上記弾性部材の離脱を防止する支持部を更に含む。
【００２３】
上記加圧部の周辺のバッテリーパックの側面部には指を置くための指席部が形成される。
【００２４】
上記掛止部は上記本体の左右側の縁部に形成されるフック拘束部に拘束される。
【００２５】
上記フック拘束部は上記加圧部から所定間隔にて離隔されて位置される。
【００２６】
上記フック拘束部は本体の縁から突出されるように形成され、上記フック拘束部の端部が本体の内側に折り曲げられる。
【００２７】
上記フック拘束部は、上記本体の縁から延伸される垂直部及び、上記垂直部から延伸される水平部につながれる。
【００２８】
上記フック拘束部は、上記バッテリーパック側面部に形成される指席部に収容される。
【００２９】
上記掛止部は曲面又は傾斜になった下部面を有する。
【００３０】
上記弾性部材がコイルスプリングである。
【００３１】
このように本発明によって、ユーザは便利にバッテリーパックを装着及び脱着することができ、携帯用端末機はより最適設計が可能である。
【００３２】
【発明の実施の形態】
以下、添付の図面を参照して本発明を更に詳細に説明する。
まず、図３は本発明による携帯用端末機の後部を示す図である。
【００３３】
図示したように、本発明による携帯用端末機は本体１０と，上記本体１０に装着されるバッテリーパック２０と、また、上記バッテリーパック２０に取り付けられるフック装置３とからなる。
まず、上記本体１０は上記端末機の主要部品を内蔵し端末機を操作するためのキーパッドなどを含んでいる。また、上記バッテリーパック２０はバッテリー２１（図６参照）と上記バッテリー２１を収容するハウジングを含んでいる。上記バッテリーパック２０は公知のように端末機に電源を供給する役割をし、交換のために上記本体１０に着脱可能に装着される。かかる本体１０とバッテリーパック２０は一般的な端末機の本体及びバッテリーパックに類似であるのでより詳細な説明を省略し、上記フック装置３０をより詳細に説明する。
図４は図３の携帯用端末機の本体に形成されたフック拘束部を示す斜視図であり、図５は図３の携帯用端末機のフック装置の構造を示す分解斜視図である。
本発明のフック装置３０は、上記説明の通り本体１０ではなく、上記バッテリーパック２０の側面部に取り付けられ、外力が加えられると上記バッテリーパック２０を本体１０から分離させる。即ち、バッテリーパック２０が装着される場合、上記説明の従来携帯用端末機では本体のフック装置がバッテリーパックを拘束するが、本発明ではバッテリーパック２０のフック装置３０が本体１０（より詳細には本体１０の側面部）に拘束される。従って、本発明の携帯用端末機において、フック装置３０がバッテリーパック２０の余裕空間の側面部に設けられるので上記本体１０は相対的に更に広い空間を確保することになる。
また、上記フック装置３０は一つだけが取り付けられ、上記バッテリーパック２０の側面部の、ユーザが端末機を掴む時親指又は人差し指が位置される部分に取り付けられるのが望ましい。これによってユーザはより簡単にバッテリーパック２０を分離できる。また、上記フック装置３０は上記バッテリーパック２０の左右側部の両側に取り付けられ、これによって端末機を掴んでいる手、即ち、右手または左手に拘らずユーザはバッテリーパック２０を分離させることができる。
【００３４】
更に側面部に形成されたフック装置など３０がユーザが端末機を掴む時に親指及び人差し指が位置される部分に各々取り付けられる場合、ユーザはより容易に上記フック装置２０を操作できるようになる。
かかるフック装置３０をより詳細に説明すると、上記フック装置３０は図５に示すように、上記バッテリーパック２０の側面部に挿入設置されるフック３１と上記フック３１と共に上記バッテリーパック２０の側面部に設置される弾性部材３２からなる。これらのフック３１と弾性部材３２は安定的な作動のために実質的に上記バッテリーパック２０のハウジングの側面部に形成された収容空間２２（図６参照）に装着される。
先ず、上記フック３１はユーザの指と接触する加圧部３１ａ、上記加圧部３１ａから一定長さで延長される中間部３１ｂ、また、上記中間部３１ｂに形成される掛止部３１ｃを含んでいる。
ここで、上記加圧部３１ａはユーザが外力を加えるための一種のボタンとして、作用し、このために上記収容空間２２と連通される孔２３を介してバッテリーパック２０の外部に露出される。
【００３５】
また、図５及び図６に示すように、上記加圧部３１ａ周辺のバッテリーパック２０の側面部には指のための指席部２５が形成され得る。かかる席部２４は曲面の凹溝状になっており、これによってユーザはより容易に上記加圧部３１ａに外力を加えることができ、かかる外力に対する上記加圧部３１ａの後退もより確かに成される。
上記中間部３１ｂは図示されるように、上記バッテリーパック２０の内部から該側面部に沿って延長される。実際に上記フック３１が上記加圧部３１ａの直下に形成される掛止部３１ｃを有する場合、かかるフック３１を収容するためのバッテリーパック２０側面部の構造が複雑となり、また、バッテリーパック２０の側面部の強度が低下され得る。従って、本発明において上記中間部３１ｂは上記掛止部３１ｃを上記加圧部３１ａから離隔させるために形成される。
上記掛止部３１ｃは上記説明の通り上記中間部３１ｂの先端に上記加圧部３１ａから所定間隔にて離隔されるように形成され、上記本体１０に拘束され得るように上記中間部３１ｂから突出される。尚、上記端末機本体１０の左右側の縁にはフック拘束部１１が形成され、上記掛止部３１ｃは該フック拘束部１１に拘束される。即ち、上記拘束部１１は上記加圧部３１ａから所定間隔にて離隔されて上記掛止部３１ｃに対応される位置に形成される。ここで、上記フック拘束部１１は本体１０の縁に形成されて上記掛止部３１ｃが挿入される所定の大きさの溝となり得る。
しかしながら、図４に示すように、上記フック拘束部１１は上記本体１０の縁から突出されてその先端部が本体１０の内側に折曲されるように形成されるのが望ましい。即ち、かかるフック拘束部１１は、上記本体の縁１０から延長される垂直部１１ａと上記垂直部１１ａから延長される水平部１１ｂからなって全体的にアングル状の形態を有する。溝形態の拘束部は、かかるアングル状拘束部によって上記掛止部３１ｃはより確実に拘束され、これによって上記バッテリーパック２０は本体に安定的に装着できる。また、突出されたフック拘束部１１を収容できるように上記バッテリーパック２０の側面部には席部２４が形成されるのが望ましい。
また、上記掛止部３１ｃは図５及び図６に示すように、曲面又は傾斜した下部面３１ｄを有するのが有利である。かかる下部面３１ｄは上記拘束部３１ｃが上記拘束部１１に対して摺動的に自在になることで上記掛止部３１ｃが上記拘束部１１に容易に挿入される。
尚、本発明のフック装置３０のうち、上記弾性部材３２は一般的に図示されるように、コイルスプリングとなり、上記収容空間２２内で上記フック３１を弾性支持することになる。従って、上記フック３１から外力が除去されると上記フック３１を元の位置に戻す。かかる弾性部材１１のために上記フック３１は図５及び図６に示すように、上記加圧部３１ａから延長される支持部３１ｅが更に含まれる。上記支持部３１ｅに上記弾性部材３２が挿入されることによって上記弾性部材３２は安定的に支持され、作動のうち、上記フック３１から離脱することない。
図６Ａ、６ｂ、６ｃは各々上記バッテリーパック２０の結合された状態、分離される過程及び装着する過程を示す。上記図６Ａ、６ｂ、６ｃにおいて左側は加圧部３１ａ付近の断面を右側は掛止部３１ｃの付近の断面を示す。これらの図面を参照して本発明の作用を説明すると次のようである。
先ず、図６Ａを参照すると、上記フック３１は弾性部材３２の弾性力によって外側に押される状態を維持すると共に掛止部３１ｃはフック拘束部１１に挿入されて拘束される。この時上記掛止部３１ｃの上面とフック拘束部１１の水平部１１ｂの下面が見合わせるので上記バッテリーパック２０は上記本体１０に安定的に装着することになる。
このように、バッテリーパックを装着してから所定時間の間、端末機を用いると、バッテリーが消耗するためにバッテリーパック２０を交換する必要が生じる。かかる交換時上記バッテリーパック２０を分離する過程は図６Ｂに示す。
【００３６】
上記フック３１に外力が加えられると、上記弾性部材３２は上記フック３１を支持しながら圧縮され、上記フック３１はバッテリーパック２０の内側に後退される。これによって上記フック拘束部１１によって拘束されていた掛止部３１ｃはフック拘束部１１から解除されるので上記バッテリーパック２０は本体１０から分離され得る準備が出来ている。
本発明において、上記フック装置３０は上記バッテリーパック２０の側面部に設置されるのでユーザは片手だけで上記説明の分離過程をおこなうことができる。より詳細には上記フック装置３０が一つだけ設置される場合、ユーザは携帯用端末機を掌に載せた状態で先ず親指又は人差し指で矢印１の方向に加圧部３１ａを押して掛止部３１ａを拘束部１１から解除させる。
以降、ユーザは上記加圧部３１ａを押したまま矢印２の方向に持ち上げて上記バッテリーパック２０を本体１０から分離させることができる。また、上記フック装置３０がバッテリーパック２０の両側に各々設置される場合にもユーザは上記説明と同様な方式で親指及び人差し指の両方ともを用いて上記バッテリーパック２０を分離させることができる。この場合指の二つだけでバッテリーパック２０が把持されるので分離している途中に、バッテリーパック２０を落とす可能性が減ることになる。
【００３７】
結果として、ユーザはいずれか片手の親指又は人差し指だけを用いることで便利にバッテリーパック２０を分離することができる。
尚、図６Ｃに示すように、上記バッテリーパック２０の装着時、上記下部面３１ｄが上記フック掛止部１１即ち、水平部１１ｂと接触することになる。この時上記バッテリーパック２０を加圧すると、上記曲面又は傾斜になった下部面３１ｄは上記水平部１１上で摺動自在に上記掛止部１１内に挿入される。即ち、ユーザは掌に端末機を載せた状態で親指などを用いてバッテリーパック２０の上部を加圧すると上記フック装置３０は上記拘束部１１に自動的に拘束される。従って、ユーザはやはり片手だけでバッテリーパック２０を装着することができる。
以上本発明の好適な一実施形態に対して説明したが、上記実施形態のものに
限定されるわけではなく、本発明の技術思想に基づいて種々の変形又は変更が可能である。
【００３８】
【発明の効果】
以上説明したように、本発明によると、次のような効果がある。
先ず、本発明において、上記フック装置が上記バッテリーパックに装着されることによって本体には相対的な余裕スペースが生じる。従って、該余裕スペースを適切に用いることによって携帯用端末機はより小さく設計できる。
また、上記フック装置はバッテリーパックの側面部に親指と人差し指で加圧するように人体工学的に設置されるのでユーザは片手だけで上記バッテリーパックをより簡単に本体から外すことができる。また、上記掛止部の下面が曲面又は傾斜面に形成されるのでユーザは片手だけを用いて上記バッテリーパックを本体に装着できる。従って、本発明はユーザの便宜を更に増加させることになる。
【図面の簡単な説明】
【図１】従来の携帯用端末機の後部を示す図である。
【図２Ａ】図１の携帯用端末機においてフック装置によってバッテリーパックが拘束された状態を示す断面図である。
【図２Ｂ】図１の携帯用端末機においてフック装置によってバッテリーパックが解除された状態を示す断面図である。
【図３】本発明による携帯用端末機の後面部を示す正面図である。
【図４】図３の携帯用端末機の本体に形成されたフック拘束部を示す斜視図である。
【図５】図３の携帯用端末機のフック装置の構造を示す分解斜視図である。
【図６Ａ】図３のＩ−Ｉ線に沿った断面図である。
【図６Ｂ】バッテリーパックが本体から分離される過程を示す断面図である。
【図６Ｃ】バッテリーパックが本体に装着される直前の状態を示す断面図である。
【符号の説明】
１０  本体
１１  フック拘束部
２０  バッテリーパック
２３  連通孔
２４  フック位置部
２５  指席部
３１  フック
３１ａ  加圧部
３１ｂ  中間部
３１ｃ  掛止部
３１ｄ  傾斜／曲面部
３１ｅ  支持部
３２  弾性部材
【図１】
0003886420.tif 000002
【図２Ａ】
0003886420.tif 000003
【図２Ｂ】
0003886420.tif 000004
【図３】
0003886420.tif 000005
【図４】
0003886420.tif 000006
【図５】
0003886420.tif 000007
【図６Ａ】
0003886420.tif 000008
【図６Ｂ】
0003886420.tif 000009
【図６Ｃ】
0003886420.tif 000010